(57)【特許請求の範囲】
【請求項１】
一端部に右ねじが形成され、他端部に左ねじが形成された長さ方向が同径状のボルトと、このボルトの一端部あるいは両端部に形成された、該ボルトを回転させる治具を用いて回転させることができる治具係合部と、前記ボルトの一端部の右ねじおよび他端部の左ねじと螺合する右ねじナットおよび左ねじナットと、この右ねじナットおよび左ねじナットに固定あるいは回転自在に取り付けられた締付部材に食い込む爪が形成された座金とからなることを特徴とする締付固定具。
【請求項２】
右ねじナットおよび左ねじナットはボルトの右ねじおよび左ねじが押し込まれると締付方向の所定位置まで移動し、ボルトを締付方向に回転することにより、該ボルトの右ねじおよび左ねじと右ねじナットおよび左ねじナットが螺合する位置決めが容易にできるように形成されたものであることを特徴とする請求項１記載の締付固定具。
【発明の詳細な説明】
【技術分野】
【０００１】
本発明は柱と梁、柱に取付けられた金物と梁、木材と木材等の締付固定に用いることができる締付固定具に関する。
【背景技術】
【０００２】
従来、柱と梁、柱に取付けられた金物と梁、木材と木材とを締付固定する場合、柱、梁、柱に取付けられた金物、木材にボルト挿入孔を形成し、該ボルト挿入孔にボルトを挿入してナットで締付固定している。
このようなボルト、ナットでの締付固定は、ボルトの頭部の廻り止めとナットを回転させる操作が必要で、一人での作業が大変で、時間がかかるという欠点があった。
【先行技術文献】
【特許文献】
【０００３】
【特許文献１】実用新案登録第２５３４７１７号公報
【特許文献２】特開２００６−３４８５４３号公報
【発明の概要】
【発明が解決しようとする課題】
【０００４】
本発明は以上のような従来の欠点に鑑み、取付作業を一人でも簡単に、楽に行なうことができるとともに、確実に締付固定することができ、かつコストの低減を図ることができる締付固定具を提供することを目的としている。
【０００５】
本発明の前記ならびにそのほかの目的と新規な特徴は次の説明を添付図面と照らし合わせて読むと、より完全に明らかになるであろう。
【０００６】
ただし、図面はもっぱら解説のためのものであって、本発明の技術的範囲を限定するものではない。
【課題を解決するための手段】
【０００７】
上記目的を達成するために、本発明は一端部に右ねじが形成され、他端部に左ねじが形成された長さ方向が同径状のボルトと、このボルトの一端部あるいは両端部に形成された、該ボルトを回転させる治具を用いて回転させることができる治具係合部と、前記ボルトの一端部の右ねじおよび他端部の左ねじと螺合する右ねじナットおよび左ねじナットと、この右ねじナットおよび左ねじナットに固定あるいは回転自在に取り付けられた締付部材に食い込む爪が形成された座金とで締付固定具を構成している。
【発明の効果】
【０００８】
以上の説明から明らかなように、本発明にあっては次に列挙する効果が得られる。
（１）  請求項１により、締付部材に形成したボルト挿入孔に一端部に右ねじが形成され、他端部に左ねじが形成された長さ方向が同径状のボルトを挿入し、該ボルトの両端部の右ねじおよび左ねじに、右ねじナットおよび左ねじナットを螺合させ、該右ねじナットおよび左ねじナットに固定あるいは回転自在に取り付けられた座金の爪を締付部材に食い込ませて固定し、該ボルトに形成された治具係合部に治具を係合させて、回転させることにより、ボルトの両端部に螺合された右ねじナットおよび左ねじナットで締付部材を締付けあるいは取り外し方向に螺合移動させることができる。
【０００９】
したがって、ボルトの両端部に螺合させた右ねじナットおよび左ねじナットを締付部材に当接させてボルトを回転させるだけで、締付け作業が簡単で、楽に一人でも行なうことができる。
（２）前記（１）によって、右ねじと左ねじを形成したボルトの端部に治具を用いて回転させることができる治具係合部を形成するだけでよく、構造が簡単で、容易に製造することができる。
（３）前記（１）によって、締付部材を右ねじナットと左ねじナットとで両端部より締付けるので、従来のボルト、ナットの一方向から締付固定するものに比べ、両方から締付固定でき、均等に締付固定することができるとともに、従来のボルト、ナットを用いるもののナットの回転数に比べ、ほぼ半分の回転数で同じ締付けを行なうことができる。
（４）前記（１）によって、右ねじナットおよび左ねじナットに固定あるいは回転自在に取り付けられた締付部材に食い込む爪が形成された座金で、締付部材に固定できるので、ボルトを回転させても右ねじナットおよび左ねじナットがから廻りするのを確実に防止でき、確実に締付部材を締付固定する作業を行なうことができる。
（５）請求項２も前記（１）〜（４）と同様な効果が得られるとともに、右ねじナットおよび左ねじナットを締付ける位置まで簡単に挿入することができ、締付固定作業を短時間で効率よく行なうことができる。
【図面の簡単な説明】
【００１０】
【図１】本発明を実施するための第１の形態の正面図。
【図２】本発明を実施するための第１の形態の右側面図。
【図３】本発明を実施するための第１の形態の左側面図。
【図４】図１の４−４線に沿う断面図。
【図５】本発明を実施するための第１の形態のボルトの説明図。
【図６】本発明を実施するための第１の形態の位置決めが容易なナットの平面図。
【図７】本発明を実施するための第１の形態の位置決めが容易なナットの縦断面図。
【図８】本発明を実施するための第１の形態の位置決めが容易なナットの分解斜視図。
【図９】本発明を実施するための第１の形態の使用状態の説明図。
【図１０】本発明を実施するための第１の形態のボルトを挿入させた状態の説明図。
【図１１】本発明を実施するための第１の形態のボルトの両端部にナットを位置させた状態の説明図。
【図１２】本発明を実施するための第１の形態のボルトを回転させ、締付固定する状態の説明図。
【図１３】本発明を実施するための第１の形態の異なる使用状態の説明図。
【図１４】本発明を実施するための第１の形態の異なる使用状態の説明図。
【図１５】本発明を実施するための第１の形態の異なる使用状態の説明図。
【図１６】本発明を実施するための第２の形態の正面図。
【図１７】本発明を実施するための第２の形態の右側面図。
【図１８】本発明を実施するための第２の形態の左側面図。
【図１９】本発明を実施するための第３の形態の正面図
【図２０】本発明を実施するための第３の形態の右側面図。
【図２１】本発明を実施するための第３の形態の左側面図。
【図２２】本発明を実施するための第４の形態の正面図。
【図２３】本発明を実施するための第４の形態の右側面図。
【図２４】本発明を実施するための第４の形態の左側面図。
【図２５】本発明を実施するための第５の形態の正面図。
【図２６】本発明を実施するための第５の形態の右側面図。
【図２７】本発明を実施するための第５の形態の左側面図。
【図２８】本発明を実施するための第６の形態の正面図
【図２９】本発明を実施するための第６の形態の右側面図。
【図３０】本発明を実施するための第６の形態の左側面図。
【発明を実施するための形態】
【００１１】
以下、図面に示す本発明を実施するための形態により、本発明を詳細に説明する。
【００１２】
図１ないし図１２に示す本発明を実施するための第１の形態において、１は本発明の締付固定具で、この締付固定具１は一端部に右ねじ２が形成され、他端部に左ねじ３が形成された長さ方向が同径状のボルト４と、このボルト４の一端部あるいは両端部、本発明の実施の形態では両端部に形成された、該ボルト４をドライバー、スパナ、レンチ等の回転させる治具５、本発明の実施の形態ではドライバー６を用いて回転させることができる＋あるいは−の治具係合部７、７と、前記ボルト４の右ねじ２と螺合させることができる、該ボルト４の所定位置の右ねじ２部へ押し込める位置決めが容易な右ねじナット８と、前記ボルト４の左ねじ３と螺合させることができる、該ボルト４の所定位置の左ねじ３部へ押し込める位置決めが容易な左ねじナット９とで構成されている。
【００１３】
前記位置決めが容易な右ねじナット８は内壁面に内径が順次小径寸法となる傾斜孔１０が形成され、外壁面が多角形状に形成され、かつ該傾斜孔１０の小径端部の外周部に座金取付用のリング溝１１が形成されたナット本体１２と、このナット本体１２の傾斜孔１０部位の内壁面の軸心方向に形成された少なくとも２個以上、本発明の実施の形態では３個のガイド片１３、１３、１３と、この３個のガイド片１３、１３、１３間にそれぞれ前記小径の傾斜孔１０より脱落することなく、軸心方向にスライド移動可能に取付けられた内壁面に前記ボルト４の右ねじ２と螺合する右ねじ山１４を有する右ねじナットセグメント１５、１５、１５と、この右ねじナットセグメント１５、１５、１５を常時小径の傾斜孔１０側へ付勢するように、該傾斜孔１０の上面に形成された付勢スプリング収納室１６に収納され、該付勢スプリング収納室１６の端部をカシメて内部に保持された付勢スプリング１７と、前記ナット本体１２の座金取付用のリング溝１１に係合する係合片１８、１８が形成され、かつ木材の締付部材に食い込む少なくとも１個以上、本発明の実施の形態では３個の爪１９、１９、１９が形成された座金２０とで構成されている。
【００１４】
前記位置決めが容易な左ねじナット９は内壁面に内径が順次小径寸法となる傾斜孔１０が形成され、外壁面が多角形状に形成され、かつ該傾斜孔１０の小径端部の外周面に座金取付用のリング溝１１が形成されたナット本体１２と、このナット本体１２の傾斜孔１０部位の内壁面の軸心方向に形成された少なくとも２個以上、本発明の実施の形態では３個のガイド片１３、１３、１３と、この３個のガイド片１３、１３、１３間にそれぞれ前記小径の傾斜孔１０より脱落することなく、軸心方向にスライド移動可能に取付けられた内壁面に前記ボルト４の左ねじ３と螺合する左ねじ山２１を有する左ねじナットセグメント２２、２２、２２と、この左ねじナットセグメント２２、２２、２２を常時小径の傾斜孔１０側へ付勢するように、該傾斜孔１０の上面に形成された付勢スプリング収納室１６に収納され、該付勢スプリング収納室１６の端部をカシメて内部で保持された付勢スプリング１７と、前記ナット本体１２の座金取付用のリング溝１１に係合する係合片１８、１８が形成され、かつ木材の締付部材に食い込む少なくとも１個以上、本発明の実施の形態では３個の爪１９、１９、１９が形成された座金２０とで構成されている。
【００１５】
上記構成の締付固定具１は図９に示すように端部に接合部２３、２３を形成した木材の柱２４、２４を接合部２３、２３で接合させ、接合部２３、２３に接合できるボルト挿入孔２５、２５を形成したものを置いて、該ボルト挿入孔２５、２５に図１０に示すようにボルト４を挿入させる。
【００１６】
次に図１１に示すようにボルト４の一端部の右ねじ２に位置決めが容易な右ねじナット８を押し込み、座金２０の爪１９、１９、１９を柱４に食い込ませる。
【００１７】
また、ボルト４の他端部の左ねじ３に位置決めが容易な左ねじナット９を押し込み、座金２０の爪１９、１９、１９を柱２４に食い込ませる。
【００１８】
しかる後、ボルト４の一端部の＋あるいは−の治具係合部７にドライバー６を係合させて、図１２に示すように回転させることにより、位置決めが容易な右ねじナット８および位置決めが容易な左ねじナット９の右ねじナットセグメント１５、１５、１５、左ねじナットセグメント２２、２２、２２がボルト４の右ねじ２と左ねじ３と螺合し、柱２４、２４方向、すなわち締付方向に移動して、柱２４、２４の接合部２３、２３をを締付固定し、１本の柱にすることができる。
【００１９】
なお、ボルト４の右ねじ２、左ねじ３と位置決めが容易な右ねじナット８、位置決めが容易な左ねじナット９の右ねじナットセグメント１５、１５、１５と左ねじナットセグメント２２、２２、２２とはボルト４の回転によって螺合状態になるとともに、位置決めが容易な右ねじナット８と座金２０、位置決めが容易な左ねじナット９と座金２０とに接触抵抗が生じるため、位置決めが容易な右ねじナット８や位置決めが容易な左ねじナット９がボルト４と一体になって回転したりするのを防止することができる。
【００２０】
また、本発明の締付固定具１は、図１３に示すような柱２４と柱２４との締付固定や、図１４に示すように柱２４にコ字状の接続金物２６を固定し、この柱２４に接続される梁２７の端部に接続金物２６が入り込む凹部２８を形成し、該凹部２８に入り込んだ接続金物２６を締付固定したり、図１５に示すように木材２４、２４との間にスペーサー２９を介して締付固定したりする場合に使用される。
【００２１】
[発明を実施するための異なる形態]
次に、図１６ないし図３０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図１６ないし図１８に示す本発明を実施するための第２の形態において、前記本発明を実施するための第１の形態と主に異なる点は、ボルト４Ａの一端部あるいは両端部、本発明の実施の形態では両端部にスパナやレンチを回転させる治具５Ａと係合する治具係合部７Ａ、７Ａを形成した点で、このような治具係合部７Ａ、７Ａが形成されたボルト４Ａを用いて構成した締付固定具１Ａにしても、前記本発明を実施するための第１の形態と同様な作用効果が得られる。
【００２３】
図１９ないし図２１に示す本発明を実施するための第３の形態において、前記本発明を実施するための第２の形態と主に異なる点は、ボルト４Ｂの一端部あるいは両端部、本発明の実施の形態では両端部に右・左ねじナット８、９を押し込むことができ、かつハンマー３０で叩いてもねじ山や治具係合部７Ａ、７Ａを保護できる頭部３１、３１を形成するとともに、ナット本体１２に係合孔３２、３２を有するフランジ部３３を形成し、該フランジ部３３の係合孔３２、３２と係合する係合片３４、３４が形成された爪１９、１９、１９を有する座金２０Ａを用いた位置決めが容易な右ねじナット８および位置決めが容易な左ねじナット９を用いた点で、このようなボルト４Ｂや位置決めが容易な右ねじナット８、位置決めが容易な左ねじナット９を用いて構成した締付固定具１Ｂにしても、前記本発明を実施するための第２の形態と同様な作用効果が得られる。
【００２４】
図２２ないし図２４に示す本発明を実施するための第４の形態において、前記本発明を実施するための第１の形態と主に異なる点は、底面３５に複数個の爪１９、１９、１９が形成された円筒形状のナット本体１２Ａを用いた位置決めが容易な右ねじナット８Ａと位置決めが容易な左ねじナット９Ａとを用いた点で、このような位置決めが容易な右・左ねじナット８Ａ、９Ａを用いて構成した締付固定具１Ｃにしても、前記本発明を実施するための第１の形態と同様な作用効果が得られる。
【００２５】
図２５ないし図２７に示す本発明の第５の形態において、前記本発明を実施するための第１の形態と主に異なる点は、ボルト４Ｃの一端部あるいは両端部、本発明の実施の形態では両端部に位置決めが容易な右ねじナット８、位置決めが容易な左ねじナット９を押し込むことができるが、普通のナットはボルト４Ｃの右ねじ２、左ねじ３に螺合させることができない頭部３６、３６を形成した点で、このように形成したボルト４Ｃを用いて構成した締付固定具１Ｄにしても、前記本発明を実施するための第１の形態と同様な作用効果が得られる。
【００２６】
図２８ないし図３０に示す本発明を実施するための第６の形態において、前記本発明を実施するための第１の形態と主に異なる点は、座金２０が取付けられた右ねじナット３７と、座金２０が取付けられた左ねじナット３８を用いた点で、このように座金２０が取付けられた右ねじナット３７、左ねじナット３８を用いて構成した締付固定具１Ｅにしても、前記本発明を実施するための第１の形態と同様な作用効果が得られる。
【００２７】
なお、前記本発明を実施するための各形態では締付固定される部材として木材を使用したが、本発明はこれに限らず、締付固定される部材が合金や鉄の場合、座金の代わりに反発機能があれば材種材質を問わないスプリングワッシャーを用いることにより、同様に使用することができる。
【００２８】
また、前記本発明を実施するための各形態ではナット本体１２(１２Ａ)に複数個の座金を取付けたり、複数個の座金を介してナットを取付けてもよい。
【００２９】
さらに、座金をビスや溶接などによって、締め付け固定される部材に固定的に取付けてもよい。
【産業上の利用可能性】
【００３０】
本発明は柱と梁、柱に取付けられた金物と梁、木材と木材等を締付固定する場合に使用される締付固定具を製造する産業で利用される。
【符号の説明】
【００３１】
１、１Ａ、１Ｂ、１Ｃ、１Ｄ、１Ｅ：締付固定具、
２：右ねじ、        ３：左ねじ、
４、４Ａ、４Ｂ、４Ｃ：ボルト、  ５、５Ａ：回転させる治具、  
６：ドライバー、      ７、７Ａ：治具係合部、
８、８Ａ：位置決めが容易な右ねじナット、
９、９Ａ：位置決めが容易な左ねじナット、
１０：傾斜孔、      １１：座金取付用リング溝、
１２、１２Ａ：ナット本体、  １３：ガイド片、
１４：右ねじ山、      １５：右ねじナットセグメント、
１６：付勢スプリング収納室、  １７：付勢スプリング、
１８：係合片、      １９：爪、
２０、２０Ａ：座金、    ２１：左ねじ山、
２２：左ねじナットセグメント、  ２３：接合部、
２４：木材の柱、      ２５：ボルト挿入孔、
２６：接続金物、      ２７：梁、
２８：凹部、        ２９：スペーサー、
３０：ハンマー、      ３１：頭部、
３２：係合孔、      ３３：フランジ部、
３４：係合片、      ３５：底面、
３６：頭部、        ３７：右ねじナット、
３８：左ねじナット。
【図１】
0005717144.tif 000002
【図２】
0005717144.tif 000003
【図３】
0005717144.tif 000004
【図４】
0005717144.tif 000005
【図５】
0005717144.tif 000006
【図６】
0005717144.tif 000007
【図７】
0005717144.tif 000008
【図８】
0005717144.tif 000009
【図９】
0005717144.tif 000010
【図１０】
0005717144.tif 000011
【図１１】
0005717144.tif 000012
【図１２】
0005717144.tif 000013
【図１３】
0005717144.tif 000014
【図１４】
0005717144.tif 000015
【図１５】
0005717144.tif 000016
【図１６】
0005717144.tif 000017
【図１７】
0005717144.tif 000018
【図１８】
0005717144.tif 000019
【図１９】
0005717144.tif 000020
【図２０】
0005717144.tif 000021
【図２１】
0005717144.tif 000022
【図２２】
0005717144.tif 000023
【図２３】
0005717144.tif 000024
【図２４】
0005717144.tif 000025
【図２５】
0005717144.tif 000026
【図２６】
0005717144.tif 000027
【図２７】
0005717144.tif 000028
【図２８】
0005717144.tif 000029
【図２９】
0005717144.tif 000030
【図３０】
0005717144.tif 000031